(57)【特許請求の範囲】
【請求項１】
上窓の下枠と下窓の上枠との間に無目を設け、この無目と前記下枠、上枠をそれぞれ連結した段窓であって、
前記下枠は、室内側端面よりも室内側に突出した横向片を有し、
前記無目は、前記下枠、上枠の室外側部分に連結される室外側部分と、前記上枠の室内側端面に接し、かつその上枠の室内側部分にビスで固着される室内側部分と、この室内側部分に設けられ前記上枠の室内側端面よりも室内側に向けて突出し、かつ係止受片を備えた下カバー材取付部と、前記上枠の室内側部分に設けられ当該室内側部分よりも上方で前記下枠の室内側端面よりも室内側に向けて突出し、かつ係止受片を備えた上カバー材取付部を有し、
前記上カバー材取付部と前記下枠の横向片がビスで固着され、
縦板と、この縦板に設けた上係止片、下係止片と、前記縦板の上係止片よりも上方に設けた上横片と、前記縦板の下係止片よりも下方に設けた下横片でカバー材とし、
該カバー材を、その上係止片、下係止片を前記係止受片にそれぞれ係止して取り付け、上横片を下枠の室内側端面に当接すると共に、下横片を上枠の室内側端面に当接して下枠の横向片と下カバー材取付部と上カバー材取付部をカバー材で覆うようにしたことを特徴とする段窓。
【請求項２】
前記上カバー材取付部の上面と下枠の横向片の下面が接し、前記カバー材の上係止片が上カバー材取付部の係止受片に係合することで、当該カバー材の上横片が前記下枠の横向片の上面に接するようにした請求項１記載の段窓。
【請求項３】
下窓の上枠の室内側部分は、横向き部と縦向き部を有し、
無目の室内側部分は、横向き取付部と縦向き取付部を有し、その横向き取付部が前記上枠の横向き部に接し、かつ上下方向に向うビスで固着し、前記縦向き取付部が前記上枠の縦向き部に室内外側方向に向うビスで固着した請求項１又は２記載の段窓。
【発明の詳細な説明】
【技術分野】
【０００１】
本発明は、上窓の下枠と下窓の上枠を無目で連結した段窓に関する。
【背景技術】
【０００２】
従来、上枠と下枠と左右の縦枠を方形状に枠組みした窓枠に、障子・ガラス等のパネル体を装着した上下の窓を、無目で連結して構成された段窓が種々提案されている。
例えば、特許文献１に開示された段窓が提案されている。
この段窓は、上窓の下枠と無目、この無目と下窓の上枠を室内外側方向（見込み方向）に向うビスでそれぞれ固着して連結し、前記上窓の下枠における室内側端に設けた室内側に向う横向片と下窓の上枠における室内側端に設けた室内側に向う横向片との間にカバー材を挿入し、この各横向片からカバー材にビスを上下方向（見付け方向）に向けてそれぞれ螺合してカバー材を横向片間に取付けている。
【特許文献１】特許第３２１６０１７号公報
【発明の開示】
【発明が解決しようとする課題】
【０００３】
前述した従来の段窓は、カバー材の上部を上窓の下枠の横向片にビスで固着し、そのカバー材の下部を下窓の上枠の横向片にビスで固着しているので、横向片を備えていない下枠、上枠を用いた窓枠の場合にはカバー材を取付けできないから、前述した従来のようなカバー材を有した段窓とすることはできない。
前述した従来の段窓における下枠、上枠の横向片は、建物開口部の上内面、下内面にビスで固着されて下枠、上枠の室内側端を建物開口部の上内面、下内面で支持するためのものであって、下枠、上枠の室内側端を建物開口部の上内面、下内面でそれぞれ支持しない窓の場合には、その横向片が無いので、カバー材を前述した従来の段窓のように取付けできない。
また、横向片とカバー材を固着するビスが室内側から見えるので、見栄えが悪い。
【０００４】
本発明の目的は、無目にカバー材を取付ける部分を設けることで、横向片を備えていない上枠を用いた窓枠でもカバー材を取付けできると共に、見栄えが良い段窓とすることである。
【課題を解決するための手段】
【０００５】
本発明は、窓の下枠と下窓の上枠との間に無目を設け、この無目と前記下枠、上枠をそれぞれ連結した段窓であって、
前記下枠は、室内側端面よりも室内側に突出した横向片を有し、
前記無目は、前記下枠、上枠の室外側部分に連結される室外側部分と、前記上枠の室内側端面に接し、かつその上枠の室内側部分にビスで固着される室内側部分と、この室内側部分に設けられ前記上枠の室内側端面よりも室内側に向けて突出し、かつ係止受片を備えた下カバー材取付部と、前記上枠の室内側部分に設けられ当該室内側部分よりも上方で前記下枠の室内側端面よりも室内側に向けて突出し、かつ係止受片を備えた上カバー材取付部を有し、
前記上カバー材取付部と前記下枠の横向片がビスで固着され、
縦板と、この縦板に設けた上係止片、下係止片と、前記縦板の上係止片よりも上方に設けた上横片と、前記縦板の下係止片よりも下方に設けた下横片でカバー材とし、
該カバー材を、その上係止片、下係止片を前記係止受片にそれぞれ係止して取り付け、上横片を下枠の室内側端面に当接すると共に、下横片を上枠の室内側端面に当接して下枠の横向片と下カバー材取付部と上カバー材取付部をカバー材で覆うようにしたことを特徴とする段窓である。
【０００６】
本発明においては、前記上カバー材取付部の上面と下枠の横向片の下面が接し、前記カバー材の上係止片が上カバー材取付部の係止受片に係合することで、当該カバー材の上横片が前記下枠の横向片の上面に接するようにできる。
【０００７】
本発明においては、下窓の上枠の室内側部分は、横向き部と縦向き部を有し、無目の室内側部分は、横向き取付部と縦向き取付部を有し、その横向き取付部が前記上枠の横向き部に接し、かつ上下方向に向うビスで固着し、前記縦向き取付部が前記上枠の縦向き部に室内外側方向に向うビスで固着することができる。
このようにすれば、無目の室内側部分と上枠の室内側部分が上下方向、室内側方向に向うビスで強固に固着されるので、無目と上枠をしっかりと連結できる。
【発明の効果】
【０００８】
本発明によれば、無目に下カバー材取付部、上カバー材取付部を設けたので、横向片を備えていない上枠を用いた窓枠でもカバー材を取付けできる。
また、無目の室内側部分と上枠の室内側部分を固着するビス、無目の上カバー材取付部と下枠の横向片を固着するビスがカバー材で覆われて室内側から見えないので、見栄えの良い段窓とすることができる。
また、無目の下カバー材取付部と上カバー材取付部、下枠の横向片が室内側から見えないと共に、カバー材が下枠、上枠の室内側端面と連続して見えるので、見栄えが良い。
【発明を実施するための最良の形態】
【０００９】
図１に示すように、上窓１、下窓２は、上窓枠１ａ、下窓枠２ａにパネル体１ｂ，２ｂを装着してある。
前記上窓枠１ａ、下窓枠２ａは、上枠３と下枠４と左右の縦枠５を方形状に枠組みしてある。
前記上窓１の下枠４と下窓２の上枠３との間に無目６が設けてあり、この無目６と前記下枠４が連結されると共に、無目６と前記上枠３が連結されて段窓としてある。
【００１０】
前記各上枠３、下枠４、縦枠５の室内側端面３ａ，４ａ，５ａは、図２〜図４に示すように室内外側方向（見込み方向）に同一位置である。
前記上窓１の上枠３は、図２に示すように室内外側方向中間に上向きの取付片３ｂを有している。下窓２の上枠３は、前述の取付片３ｂが切断等で除去されている。
前記下窓２の下枠４は、図２に示すように室内外側方向中間に下向きの取付片４ｂを有していると共に、前記室内側端面４ａよりも室内側に突出した横向片４ｃを有している。
前記上窓１の下枠４は、横向片４ｃを有しているが、取付片４ｂは切断等で除去してある。
前記各縦枠５は図３、図４に示すように、室内外側方向中間に側方に向いた取付片５ｂを有している。
前記各取付片３ｂ，４ｂ，５ｂは室内外側方向に同一位置で、建物躯体７の室外側面７ａに固着具７ｂでそれぞれ固着され、この各取付片３ｂ，４ｂ，５ｂよりも室内側寄り部分が前記建物躯体７の開口部７ｃ内に挿入し、下窓２の下枠４の横向片４ｃ及び各縦枠５の室内側部５ｃが固着具７ｄで開口部７ｃの内面にそれぞれ固着される。
【００１１】
図２に示すように、前記上窓１の下枠４と下窓２の上枠３との間に無目６が設けてあり、この無目６の室内側部が下枠４、上枠３にビスで固着されている。
前記上窓１の下枠４の室内側端面４ａと下窓２の上枠３の室内側端面３ａに亘ってカバー材８が取付けてある。
このカバー材８で前述の無目６と下枠４、上枠３を固着するビス等を覆って室内側から見えないようにしてある。
【００１２】
次に、前記無目６と上窓１の下枠４と下窓２の上枠３の連結部分を図５に基づいて説明する。
前記無目６は、前記下枠４の室外側部分４ｄ、上枠３の室外側部分３ｃに連結される室外側部分１０と、前記上枠３の室内側部分３ｄに固着される室内側部分１１と、この室内側部分１１よりも室内側に向けて突出した下カバー材取付部１２と、前記室内側部分１１よりも上方で、かつ室内側に向けて突出した上カバー材取付部１３を有している。
【００１３】
そして、前記無目６の室内側部分１１が上枠３の室内側部分３ｄにビス１４で固着され、その下カバー材取付部１２と上カバー材取付部１３が上枠３、下枠４の室内側端面３ａ，４ａよりも室内側に突出する。
前記無目６の上カバー材取付部１３の上面と下枠４の横向片４ｃの下面が接し、両者がビス１５で固着されることで、上枠３、下枠４の室内側部分と無目６の室内側部分がビス１４，１５で固着される。
【００１４】
前記カバー材８は、縦板２０と上下横片２１，２２でほぼ断面コ字形状で、その上横片２１が下枠４の横向片４ｃの上面に重なり合って室内側端面４ａに当接すると共に、下横片２２が上枠３の室内側端面３ａに当接して無目６の室内側部分を覆うように、前記下カバー材取付部１２、上カバー材取付部１３に係止して取付けられる。
【００１５】
このようであるから、無目６にカバー材８を取付ける下カバー材取付部１２を設けたことによって、カバー材８の下横片２２を上枠３の室内側端面３ａに接して取付けできるから、横向片を備えていない上枠３を用いた窓枠でもカバー材８を取付けできる。
また、カバー材８によって無目６の下カバー材取付部１２、上カバー材取付部１３及びビス１４，１５が覆われ、それらが室内側から見えないので、見栄えが良い段窓とすることができる。
なお、上カバー材取付部１３、下カバー取付部１２の一方又は両方を覆わないようにしても良い。
【００１６】
次に、前述の連結部分の好ましい形態を説明する。
前記無目６の室外側部分１０は、上枠３の室外側部分３ｃにビス１６で固着される横向き部１０ａと、下枠４の室外側部分４ｄに係止する係止部１０ｂを有している。
前記上枠３の室内側部分３ｄは、横向き部３ｅと縦向き部３ｆを有している。この縦向き部３ｆが前述の室内側端面３ａである。
前記無目６の室内側部分１１は、横向き取付部１１ａと縦向き取付部１１ｂを有している。その横向き取付部１１ａが前記上枠３の横向き部３ｅに接し、上下方向（見付け方向）に向うビス１４で固着される。
前記無目６の縦向き取付部１１ｂが上枠３の縦向き部３ｆに接し、室内外側方向に向うビス１４で固着される。
このように、無目６の室内側部分１１と上枠３の室内側部分３ｄは、上下方向、室内外側方向に向うビスで固着されるので、強固に固着され、無目６と上枠３がしっかりと連結される。
【００１７】
前記無目６の下カバー材取付部１２は、室内側部分１１の縦向き取付部１１ｂに室内側に向けて一体に設けてある。この下カバー材取付部１２は係止受片１２ａを有している。
前記無目６の上カバー材取付部１３は、前記室内側部分１１の横向き取付部１１ａに縦向部１７を介して一体に設けてある。この上カバー材取付部１３は係止受片１３ａを有している。
前記カバー材８は、前記各係止受片１２ａ，１３ａに係止する上下係止片２３，２４を有し、カバー材８を室内側から室外側に向けて押しつけることで上係止片２３、下係止片２４が係止受片１３ａ，１２ａにそれぞれ係止するようにしてある。
前記カバー材８の上横片２１の長手方向両端部が図３に示すようにビス２５で固着してあるが、固着しなくとも良い。
【００１８】
前述した各上枠３、各縦枠５は図２〜図４に示すように、アルミ室外側部材３０，５０の室内側に樹脂室内側部材３１，５１をビス３２，５２で固着して取付けたアルミ・樹脂複合材としてある。
前述した各下枠４はアルミ室外側部材４０とアルミ室内側部材４１を断熱材４２で連結し、そのアルミ室内側部材４１に室内側樹脂カバー４３を取付けてある。
前記無目６は、アルミ室外側部材６ａとアルミ室内側部材６ｂを断熱材６ｃで連結した断熱形材である。
【００１９】
図５に示すように、無目６の室外側部分１０はアルミ室外側部材６ａに形成してあり、室内側部分１１、下・上カバー材取付部１２，１３はアルミ室内側部材６ｂに形成してある。
また、無目６の室内側部分１１は、上枠３のアルミ室外側部材３０及び樹脂室内側部材３１にビス１４で固着されている。
前記下枠４のアルミ室内側部材４１、室内側樹脂カバー４３は、下枠４の室内側端面４ａ（室内側樹脂カバー４３の室内端面）よりも室内側に突出した突出片４１ａ，４３ａを有し、この突出片４１ａの上に突出片４３ａが重なり合って前述の下枠４の横向片４ｃとしてある。
前記カバー材８は樹脂製で、その上横片２１が前記突出片４３ａの上面に接し、下横片２２が無目６におけるアルミ製の下カバー材取付部１２の下方に位置している。
【００２０】
このようであるから、無目６と下枠４、上枠３の連結部の室内側は樹脂によって覆われるので、その室内側に結露が発生しづらい。
【００２１】
前述の実施の形態は、上窓１、下窓２のパネル体１ｂ，２ｂが複層ガラスで、上枠１ａ、下枠２ａ内に装着した嵌め殺し（Ｆｉｘ）窓としてあるが、これに限ることはない。
例えば、上枠１ａ、下枠２ａに障子を横すべり出し自在に装着し、上窓１、下窓２を横すべり出し窓としても良い。
【００２２】
また、上窓１と下窓２を異なるタイプの窓としても良い。
例えば、図６に示すように、上窓枠１ａにパネル体１ｂとして複層ガラスを装着して上窓１を嵌め殺し窓とする。
下窓枠２ａにパネル体２ｂとして障子を横すべり出し自在に装着して下窓２を横すべり出し窓とする。
この場合でも、無目６、下枠４、上枠３を前述と同様にして連結することができる。
【図面の簡単な説明】
【００２３】
【図１】段窓の外観図である。
【図２】図１のＡ−Ａ拡大断面図である。
【図３】図１のＢ−Ｂ拡大断面図である。
【図４】図１のＣ−Ｃ拡大断面図である。
【図５】無目と下枠、上枠の連結部分の拡大断面図である。
【図６】段窓の第２の実施の形態を示す縦断面図である。
【符号の説明】
【００２４】
１…上窓、１ａ…上窓枠、１ｂ…パネル体、２…下窓、２ａ…下窓枠、２ｂ…パネル体、３…上枠、３ａ…室内側端面、３ｃ…室外側部分、３ｄ…室内側部分、３ｅ…横向き部、３ｆ…縦向き部、４…下枠、４ａ…室内側端面、４ｃ…横向片、４ｄ…室外側部分、５…縦枠、６…無目、８…カバー材、１０…室外側部分、１１…室内側部分、１１ａ…横向き取付部、１１ｂ…縦向き取付部、１２…下カバー材取付部、１３…上カバー材取付部、１４…ビス、１５…ビス。
【図１】
0004853931.tif 000002
【図２】
0004853931.tif 000003
【図３】
0004853931.tif 000004
【図４】
0004853931.tif 000005
【図５】
0004853931.tif 000006
【図６】
0004853931.tif 000007